(57)【特許請求の範囲】
【請求項１】
硬貨を収納するとともに、収納した硬貨を繰り出して出金する出金処理を行う出金用収納部と、
この出金用収納部とは別に設けられ、硬貨を収納し、包装する硬貨を繰り出す供給処理を行う包装用収納部とを具備し、
前記出金処理と前記供給処理とは並行して処理可能である
ことを特徴とする硬貨処理装置。
【請求項２】
前記出金用収納部および前記包装用収納部は、金種別に設けられている
ことを特徴とする請求項１記載の硬貨処理装置。
【請求項３】
前記出金用収納部から繰り出された出金する硬貨を搬送する出金用搬送通路と、
この出金用搬送通路とは別に設けられ、前記包装用収納部から繰り出された包装する硬貨を搬送する包装用搬送通路とを具備している
ことを特徴とする請求項１または２記載の硬貨処理装置。
【請求項４】
前記出金用収納部から繰り出す硬貨を前記包装用収納部に収納可能とする
ことを特徴とする請求項１ないし３いずれか一記載の硬貨処理装置。
【請求項５】
前記出金用収納部は、硬貨を収納する入金位置と出金する硬貨を繰り出す出金位置とに上下動可能とし、
前記包装用収納部は、位置が固定されている
ことを特徴とする請求項１ないし４いずれか一記載の硬貨処理装置。
【発明の詳細な説明】
【技術分野】
【０００１】
本発明は、硬貨の出金および包装ができる硬貨処理装置に関する。
【背景技術】
【０００２】
従来、硬貨の出金および包装ができる硬貨処理装置では、入金された硬貨を収納部に収納し、硬貨の出金時に収納部から硬貨を繰り出して出金している。
【０００３】
また、硬貨を出金していないときに、収納部から硬貨を繰り出して包装部に搬送し、包装部にて硬貨を包装して包装硬貨を作成し、作成した包装硬貨を包装硬貨収納部に収納している。そして、包装硬貨の出金時に、包装硬貨収納部から包装硬貨を投出して出金している（例えば、特許文献１参照。）。
【先行技術文献】
【特許文献】
【０００４】
【特許文献１】特開２００８−２９３２４７号公報
【発明の概要】
【発明が解決しようとする課題】
【０００５】
しかしながら、従来の包装硬貨処理装置では、収納部から硬貨を繰り出して出金しているときには収納部から包装部へ硬貨を供給することができず、出金に用いる包装硬貨が不足することがある。
【０００６】
あるいは、収納部から硬貨を繰り出して包装部へ供給しているときには、収納部から硬貨を出金することはできないため、硬貨の出金時には、収納部から硬貨を包装部へ供給する処理を停止し、収納部からの硬貨の出金に切り換える必要があるため、硬貨の出金に時間がかかる問題がある。
【０００７】
本発明は、このような点に鑑みなされたもので、硬貨の出金処理と包装用の硬貨の供給処理とが重なっても並行して処理できる硬貨処理装置を提供することを目的とする。
【課題を解決するための手段】
【０００８】
請求項１記載の硬貨処理装置は、硬貨を収納するとともに、収納した硬貨を繰り出して出金する出金処理を行う出金用収納部と、この出金用収納部とは別に設けられ、硬貨を収納し、包装する硬貨を繰り出す供給処理を行う包装用収納部とを具備し、前記出金処理と前記供給処理とは並行して処理可能であるものである。
【０００９】
請求項２記載の硬貨処理装置は、請求項１記載の硬貨処理装置において、前記出金用収納部および前記包装用収納部は、金種別に設けられているものである。
【００１０】
請求項３記載の硬貨処理装置は、請求項１または２記載の硬貨処理装置において、前記出金用収納部から繰り出された出金する硬貨を搬送する出金用搬送通路と、この出金用搬送通路とは別に設けられ、前記包装用収納部から繰り出された包装する硬貨を搬送する包装用搬送通路とを具備しているものである。
【００１１】
請求項４記載の硬貨処理装置は、請求項１ないし３いずれか一記載の硬貨処理装置において、前記出金用収納部から繰り出す硬貨を前記包装用収納部に収納可能とするものである。
【００１２】
請求項５記載の硬貨処理装置は、請求項１ないし４いずれか一記載の硬貨処理装置において、前記出金用収納部は、硬貨を収納する入金位置と、出金する硬貨を繰り出す出金位置とに上下動可能とし、前記包装用収納部は、位置が固定されているものである。
【発明の効果】
【００１３】
請求項１記載の硬貨処理装置によれば、出金用収納部と包装用収納部とを別に備えたため、硬貨の出金処理と包装用の硬貨の供給処理とが重なっても並行して処理できる。
【００１４】
請求項２記載の硬貨処理装置によれば、請求項１記載の硬貨処理装置の効果に加えて、出金用収納部および包装用収納部を金種別に設けたため、金種別に処理できる。
【００１５】
請求項３記載の硬貨処理装置によれば、請求項１または２記載の硬貨処理装置の効果に加えて、出金用搬送通路と包装用搬送通路とを別に備えたため、出金部への硬貨の搬送と包装部への硬貨の搬送とを並行して処理できる。
【００１６】
請求項４記載の硬貨処理装置によれば、請求項１ないし３いずれか一記載の硬貨処理装置の効果に加えて、出金用収納部から繰り出す硬貨を包装用収納部に収納可能とするため、出金用収納部の硬貨収納量が多くなった場合に硬貨を包装用収納部へ移動させて硬貨収納量を適切に保ったり、包装用収納部への硬貨の供給ができる。
【００１７】
請求項５記載の硬貨処理装置によれば、請求項１ないし４いずれか一記載の硬貨処理装置の効果に加えて、出金用収納部が硬貨を収納する入金位置と出金する硬貨を繰り出す出金位置とに上下動可能とし、包装用収納部の位置が固定されている構成においても、硬貨の出金処理と包装用の硬貨の供給処理とが重なっても並行して処理できる。
【図面の簡単な説明】
【００１８】
【図１】第１の実施の形態を示す硬貨処理装置を用いた硬貨処理機の正面方向から見た断面図である。
【図２】同上硬貨処理装置の出金用収納部および包装用収納部を示す側面図である。
【図３】同上硬貨処理機の平面方向から見た断面図である。
【図４】同上硬貨処理機の包装硬貨処理装置の側面方向から見た断面図である。
【図５】第２の実施の形態を示す硬貨処理装置を用いた硬貨処理機の構成図である。
【図６】同上硬貨処理機の各処理の構成図を示し、(a)は入金処理の構成図、(b)は出金処理の構成図、(c)は収集処理の構成図、(d)は精査処理の構成図である。
【発明を実施するための形態】
【００１９】
以下、実施の形態を、図面を参照して説明する。
【００２０】
図１ないし図４に第１の実施の形態を示す。
【００２１】
図１、図３および図４に硬貨処理機を示し、この硬貨処理機は、ばら状態の硬貨の入金（収納）および出金処理、硬貨を包装して包装硬貨Ａを作成する包装処理、包装硬貨Ａの収納および出金処理などが行える。
【００２２】
硬貨処理機は、機体11を有し、この機体11の正面から見て左側の領域には主にばら状態の硬貨を処理する硬貨処理装置12が設置され、右側の領域には主に包装硬貨Ａを処理する包装硬貨処理装置13が設置されている。
【００２３】
すなわち、機体11の左側の領域の上部には、ばら状態の硬貨を外部から受け入れて処理する入金処理部15が配設されている。この入金処理部15の下側には、入金処理部15から硬貨を受け入れて一時保留する入金一時保留部16が配設されている。この入金一時保留部16の下側には、入金一時保留部16から収納する硬貨を受け入れて収納するとともに収納した硬貨を出金または包装するために繰り出す出金用収納部17と、この出金用収納部17から硬貨を受け入れて収納するとともに収納した硬貨を包装するために繰り出す包装用収納部18とが配設されている。また、機体11の前側には、硬貨を出金する出金部としての出金箱19と、入金一時保留部16から返却する硬貨を受け入れる返却箱20とが、それぞれ機体11の前面から着脱可能に配設されている。さらに、出金用収納部17から出金のために繰り出された硬貨を受け入れて出金箱19に搬送する出金一時保留部21が上下方向に移動可能に配設されている。
【００２４】
機体11の右側の領域の下部には、硬貨を包装して包装硬貨Ａを作成する包装部23が配設されている。この包装部23の上側には、包装部23で作成された包装硬貨Ａを金種別に収納する複数の包装硬貨収納部24が上下方向に並設された第１の包装硬貨収納装置25aおよび第２の包装硬貨収納装置25bが左右方向に２列配設されている。また、機体11の前側には、包装硬貨Ａを出金する包装硬貨出金部26、および包装硬貨Ａを一括収納する一括収納部27が配設されている。さらに、包装部23および包装硬貨収納部24と包装硬貨出金部26および一括収納部27との間には、２列の包装硬貨収納装置25a，25bに対応して包装硬貨Ａを搬送する搬送路28が配設されている。
【００２５】
そして、入金処理部15は、複数段の回転円盤を用いた硬貨供給装置31を有し、この硬貨供給装置31が外部から投入されるばら状態の硬貨を受け入れて１枚ずつ硬貨通路32に繰り出す。硬貨通路32においては、硬貨を識別部33で識別し、分岐部34で金種別に分岐して入金一時保留部16に送り込んでいる。分岐部34には、オーバーフロー硬貨などを電気駆動手段によって分岐する分岐部34a、５円硬貨を電気駆動手段によって分岐する分岐部34b、１円硬貨、５０円硬貨、１００円硬貨、１０円硬貨、５００円硬貨の径の順に分岐する分岐部34cが設けられている。
【００２６】
また、入金一時保留部16は、一時保留位置、収納位置および返却位置に水平移動可能とし、一時保留位置にて硬貨通路32から金種別に分岐されてくる硬貨を金種別（硬貨通路32の各分岐部34a，34b，34cで分岐する金種に対応している）に一時保留し、一時保留後に、硬貨を収納する場合には収納位置に移動して硬貨を出金用収納部17に放出し、硬貨を返却する場合には返却位置に移動して硬貨を返却箱20に放出する。
【００２７】
また、図１および図２に示すように、出金用収納部17は、金種別に設けられていて機体11内の前後方向に沿って並設されている。最前部には一括用（オーバーフロー用）の出金用収納部17が配設され、その後側に５円硬貨用、１円硬貨用、５０円硬貨用、１００円硬貨用、１０円硬貨用、５００円硬貨用の出金用収納部17が順に並設されている。
【００２８】
出金用収納部17は、入金一時保留部16から放出される硬貨を受け入れて収納するホッパ36、およびこのホッパ36の下部から硬貨を１枚ずつ繰り出す繰出機構37を備えている。ホッパ36は、例えば１０００枚程度の硬貨を収納可能とする容量を有している。繰出機構37は、例えば、ホッパ36の底部に水平に配置された回転円盤38を有し、この回転円盤38には硬貨が１枚ずつ入り込む複数の孔が設けられており、回転円盤38の回転により孔に入り込んだ硬貨を回転円盤38の周囲を囲む部材の１箇所に設けられている繰出口から外部へ１枚ずつ繰り出すように構成されている。繰出機構37は、１枚ずつ繰り出す硬貨を検知する計数センサ（図示せず）を備え、硬貨の繰出枚数を計数可能としている。
【００２９】
複数の出金用収納部17の側部には、各出金用収納部17の繰出口から繰り出された硬貨を受け入れて前方へ向けて搬送する第１の搬送部39が配設されている。この第１の搬送部39では、出金時において、硬貨を最前部に搬送して出金一時保留部21に送り込み、出金一時保留部21による出金箱19への硬貨の出金を可能としている。したがって、第１の搬送部39および出金一時保留部21などにより、出金用収納部17から繰り出された硬貨を出金箱19に搬送する出金用搬送通路40が構成されている。また、第１の搬送部39上には図示しない金種別の分岐機構が第１の搬送路39に沿って配設されており、包装用収納部18への硬貨の供給時において、出金用収納部17から１金種ずつ繰り出して第１の搬送部39で搬送する硬貨を該当する金種の分岐機構で分岐して該当金種の包装用収納部18へ送り込むように構成されている。
【００３０】
また、包装用収納部18は、金種別に設けられていて機体11内の前後方向に沿って並設されている。最前部には１円硬貨用、５０円硬貨用、一括用（オーバーフロー用）として共通用の包装用収納部18が配設され、その後側に５円硬貨用、１００円硬貨用、１００円硬貨用、１０円硬貨用、１０円硬貨用、５００円硬貨用の包装用収納部18が順に並設されている。１０円硬貨と１００円硬貨は出金頻度が高い金種であり、包装用の硬貨の量を確保しておくためにそれぞれ複数個ずつの包装用収納部18が用いられている。
【００３１】
包装用収納部18は、出金用収納部17と同様に、出金用収納部17から繰り出されて第１の搬送部39の分岐機構で金種別に分岐される硬貨を受け入れて収納するホッパ42、およびこのホッパ42の下部から硬貨を１枚ずつ繰り出す繰出機構43を備えている。ホッパ42は、例えば１０００枚程度の硬貨を収納可能とする容量を有している。繰出機構43は、例えば、ホッパ42の底部に水平に配置された回転円盤44を有し、この回転円盤44には硬貨が１枚ずつ入り込む複数の孔が設けられており、回転円盤44の回転により孔に入り込んだ硬貨を回転円盤44の周囲を囲む部材の１箇所に設けられている繰出口から外部へ１枚ずつ繰り出すように構成されている。繰出機構43は、１枚ずつ繰り出す硬貨を検知する計数センサ（図示せず）を備え、硬貨の繰出枚数を計数可能としている。
【００３２】
複数の包装用収納部18の側部には、各包装用収納部18から繰り出された硬貨を受け入れて後方へ向けて搬送する第２の搬送部45が配設されている。さらに、第２の搬送部45の後側には、第２の搬送部45から硬貨を受け入れて上方へ搬送する第３の搬送部46が配設されている。さらに、第３の搬送部46の上部前側には、第３の搬送部46から硬貨を受け入れて前方へ搬送するとともに包装部23へ送り込む第４の搬送部47が配設されている。したがって、第２の搬送部45、第３の搬送部46および第４の搬送部47により、包装用収納部18から繰り出された硬貨を包装部23へ搬送する包装用搬送通路48が構成されている。
【００３３】
また、包装部23には、包装用収納部18から包装部23に送り込まれる硬貨を受け入れる回転円盤50、およびこの回転円盤50の回転によって１枚ずつ繰り出される硬貨を搬送する包装用通路51が配設されている。包装用通路51の下流域には、包装用通路51から送り込まれる硬貨を下部側から上方へ順次重積していって所定枚数の硬貨を重積する重積部52が設けられている。この重積部52には３本の包装ローラ53が配置され、所定枚数重積した重積硬貨の周面を３本の包装ローラ53で挟持して回転させ、重積硬貨の周面に図示しない包装紙を巻き込むことにより、この包装紙を重積硬貨の周囲に巻き付けるとともに包装紙の端部を重積硬貨の端面にかしめ、包装硬貨Ａを作成する。
【００３４】
重積部52の下方には、重積部52から放出する包装硬貨Ａを搬送路28へ導くシュート54が配設されている。
【００３５】
また、包装硬貨収納部24は、第１の包装硬貨収納装置25a内に上下方向に並んで配設される複数の第１の包装硬貨収納部24aと、第２の包装硬貨収納装置25b内に上下方向に並んで配設される複数の第２の包装硬貨収納部24bとを備えている。複数の第１の包装硬貨収納部24aは、下から順に１円包装硬貨用、１０円包装硬貨用、５０円包装硬貨用、１００円包装硬貨用、１００円包装硬貨用、５００円包装硬貨用に設定されている。第２の包装硬貨収納部24bは、下から順に１円包装硬貨用、１０円包装硬貨用、１０円包装硬貨用、１０円包装硬貨用、１００円包装硬貨用、１００円包装硬貨用に設定されている。１０円包装硬貨と１００円包装硬貨は出金頻度が高い金種であり、これら金種の包装硬貨収納量を確保しておくためにそれぞれ複数の包装硬貨収納部24が用いられている。逆に、５円包装硬貨などは出金頻度が低い金種であるため、出金頻度の高い金種の包装硬貨収納部24を複数用いる代わりに、出金頻度の低い金種の包装硬貨収納部24が省かれている。すなわち、１円包装硬貨、１０円包装硬貨、５０円包装硬貨、１００円包装硬貨、１００円包装硬貨、５００円包装硬貨などが包装硬貨収納部24に収納する収納対象金種とされ、５円包装硬貨などが包装硬貨収納部24に収納しない非収納対象金種とされている。なお、これら収納対象金種および非収納対象金種は必要に応じて任意に設定することが可能である。また、非収納対象金種の包装硬貨Ａの出金時には、その都度、ばら状態の硬貨を包装部23で包装硬貨Ａを作成して出金するように構成されている。
【００３６】
各包装硬貨収納部24は、複数の包装硬貨Ａを前後方向に並べて搭載可能なトレイ状に設けられており、前端側へ向けて下降する傾斜状態でその傾斜方向に沿って前後方向に移動可能に支持されている。そして、各包装硬貨収納部24は、駆動手段（図示せず）により、各包装硬貨収納部24の前端側が前進する前進位置とこの前進位置より後退した定位置である後退位置との間で移動する。
【００３７】
包装硬貨収納装置25a，25bの前部には、各包装硬貨収納部24に対応して複数のストッパ部55を設けたストッパ56が上下方向に移動可能に配設されている。このストッパ56は、下降位置において前進する包装硬貨収納部24の最前部の包装硬貨Ａにストッパ部55が当接するように構成され、また、上昇位置において、前進する包装硬貨収納部24の包装硬貨Ａにストッパ部55が接触しないように構成されている。
【００３８】
また、搬送路28は、複数の第１の包装硬貨収納部24a、包装硬貨出金部26および一括収納部27に対応して包装硬貨Ａを搬送可能に配設された第１の搬送路28aと、包装部23、複数の第２の包装硬貨収納部24b、包装硬貨出金部26および一括収納部27に対応して包装硬貨Ａを搬送可能に配設された第２の搬送路28bと、これら搬送路28a，28bの上部間に配設された受渡部28cとを備えている。
【００３９】
各搬送路28a，28bは、包装硬貨Ａを搬送する無端状の搬送ベルト58を有し、この搬送ベルト58が上下のローラ59によって回動可能に張設されている。この搬送ベルト58の周面には包装硬貨Ａを載せて支持する複数の支持部60が突設されている。
【００４０】
搬送ベルト58は、搬送駆動手段（図示せず）によって正転（図４反時計回り方向）および逆転（図４時計回り方向）可能とし、正転時において支持部60に包装硬貨Ａを１本ずつ載せて上方へ搬送可能とする。搬送ベルト58の周囲には、搬送ベルト58との間で包装硬貨Ａをガイドするガイド体61が配設されている。
【００４１】
受渡部28cは、両搬送路28a，28b間で包装硬貨Ａを水平方向に搬送可能なコンベヤ63、および各搬送路28a，28bとコンベヤ63との間で包装硬貨Ａを受け渡すための受渡部材64を備えている。
【００４２】
ここで、包装硬貨収納部24への包装硬貨Ａの収納、および包装硬貨収納部24からの包装硬貨Ａの取り出しについて説明しておく。包装硬貨収納部24への包装硬貨Ａの収納時には、包装部23で作成された包装硬貨Ａ、または別の包装硬貨収納部24から移動させるために取り出された包装硬貨Ａを搬送ベルト58の支持部60に支持して搬送し、その包装硬貨Ａを収納する包装硬貨収納部24の位置より上方に一旦停止させた後、包装硬貨Ａを収納する包装硬貨収納部24を前進させ、前進する包装硬貨収納部24の最前部の包装硬貨Ａを下降位置にあるストッパ56のストッパ部55で押さえ、包装硬貨収納部24の最前部に包装硬貨Ａを収納するためのスペースを形成し、さらに、搬送ベルト58で包装硬貨Ａを下降させて包装硬貨収納部24の最前部のスペースに受け渡し、包装硬貨収納部24を後退させる。一方、包装硬貨収納部24からの包装硬貨Ａの取り出し時には、包装硬貨収納部24の包装硬貨Ａに対してストッパ56のストッパ部55が接触しないように上方位置へ退避させた状態で、包装硬貨収納部24を前進させ、包装硬貨収納部24の最前部の包装硬貨Ａを搬送ベルト58の支持部60ですくい上げ、包装硬貨収納部24を後退させる。
【００４３】
また、包装硬貨出金部26および一括収納部27には、各搬送路28a，28bから包装硬貨Ａを選択的に受け取ってそれぞれ収納させる受取部材66，67が設けられている。
【００４４】
また、機体11の前面下部には、包装硬貨Ａが投出される包装硬貨投出口68が設けられている。包装硬貨投出口68に対応して、第２の搬送路28bから包装硬貨Ａを選択的に受け取って包装硬貨投出口68へ投出させる投出部材69が設けられている。
【００４５】
次に、硬貨処理機の動作を説明する。
【００４６】
ばら状態の硬貨の入金処理時には、入金処理部15の硬貨供給装置31に投入された硬貨を１枚ずつ硬貨通路32に繰り出し、硬貨通路32で硬貨を識別して金種別に分岐し、分岐した硬貨を入金一時保留部16に金種別に一時保留する。
【００４７】
一時保留後に入金が指示されると、入金一時保留部16が収納位置に移動して硬貨を放出し、出金用収納部17に金種別に収納する。
【００４８】
一時保留後に返却が指示されると、入金一時保留部16が返却位置に移動して硬貨を放出し、返却箱20に返却する。
【００４９】
また、ばら状態での硬貨の出金処理時には、出金該当金種の出金用収納部17から必要な出金枚数分の硬貨を繰り出し、第１の搬送部39を通じて出金一時保留部21に送り込む。出金額分の硬貨が出金一時保留部21に送り込まれた後、出金一時保留部21が上昇して硬貨を放出し、出金箱19に出金する。すなわち、出金用収納部17から繰り出された硬貨を出金用搬送通路40を通じて出金箱19に出金する。
【００５０】
また、入金によってある金種の出金用収納部17の硬貨の収納枚数が所定枚数以上に増加した場合、あるいは包装硬貨Ａの作成によってある金種の包装用収納部18の硬貨の収納枚数が所定枚数以下に減少した場合には、出金用収納部17から包装用収納部18に硬貨を供給する移動処理を行う。すなわち、該当する１つの金種の出金用収納部17から硬貨を繰り出し、第１の搬送部39の該当金種の分岐機構で分岐して該当金種の包装用収納部18に収納する。該当する金種が複数ある場合には、１金種ずつ出金用収納部17から包装用収納部18に硬貨を移動させる。なお、１円および５０円の包装用収納部18は備えていないため、このような移動処理は行わず、次に説明する収集処理によって処理する。
【００５１】
また、ある金種の包装用収納部18のばら状態の硬貨量が所定枚数以上に増加した場合、あるいは包装硬貨Ａの出金によってある金種の包装硬貨収納部24に収納されている包装硬貨Ａの本数が減少した場合には、ばら状態の硬貨を包装して包装硬貨収納部24に収納する収集処理を行う。なお、この収集処理を行うのは収納対象金種のみであり、非収納対象金種の５円硬貨については行わない。
【００５２】
収集処理を行う金種が１０円硬貨、１００円硬貨、５００円硬貨のいずれかであった場合には、そのうちの１つの金種の包装用収納部18から所定の包装枚数分（所定本数の包装硬貨Ａを作成するのに対応した枚数）の硬貨を繰り出し、第２の搬送部45、第３の搬送部46および第４の搬送部47を含む包装用搬送路48を通じて包装部23に供給する。
【００５３】
収集処理を行う金種が１円硬貨、５０円硬貨のいずれかであった場合には、そのうちの１つの金種の出金用収納部17から所定の包装枚数分の硬貨を繰り出し、第１の搬送部39の分岐機構で共通用の包装用収納部18に送り込み、この共通用の包装用収納部18から硬貨を繰り出し、第２の搬送部45、第３の搬送部46および第４の搬送部47を含む包装用搬送路48を通じて包装部23に供給する。
【００５４】
そして、包装部23では供給された硬貨を所定枚数ずつ包装して包装硬貨Ａを作成する。包装部23で作成された包装硬貨Ａを搬送路28によって該当金種の包装硬貨収納部24に搬送して収納する。
【００５５】
収集処理の対象となる金種が複数ある場合には、１金種ずつ順に収集処理を行う。
【００５６】
また、包装硬貨Ａの出金時には、出金金種が収納対象金種であるとともに包装硬貨収納部24に収納されている場合には、出金金種の包装硬貨収納部24から搬送路28によって包装硬貨Ａを取り出し、包装硬貨出金部26に搬送して出金する。
【００５７】
出金金種に非収納対象金種である５円包装硬貨が含まれている場合には、５円硬貨を収納する包装用収納部18から出金本数に応じた枚数分の硬貨を繰り出し、包装用搬送通路48を通じて包装部23に送り込み、包装部23で包装硬貨Ａを作成し、搬送路28によって包装硬貨出金部26に搬送して出金する。
【００５８】
出金金種が収納対象金種であるが、例えば出金金種の包装硬貨Ａの出金が続いて包装硬貨収納部24が空になってしまった場合には、該当金種の硬貨を収納する包装用収納部18から出金本数に応じた枚数分の硬貨を繰り出し、包装用搬送通路48を通じて包装部23に送り込み、包装部23で包装硬貨Ａを作成し、搬送路28によって包装硬貨出金部に搬送して出金する。
【００５９】
また、出金用収納部17および包装用収納部18に収納されている硬貨を精査する場合には、精査処理を行う。この精査処理では、収納対象金種については、いずれか１つの金種の包装用収納部18に収納されている全ての硬貨を計数しながら繰り出し、包装部23で包装硬貨Ａを作成し、作成した包装硬貨Ａを包装硬貨収納部24に収納するか包装硬貨収納部24が満杯であれば一括収納部27に収納する。１つの金種の包装用収納部18について処理が完了すれば、他の金種を１金種ずつ順に処理する。また、非収納対象金種については、収納する包装硬貨収納部24がないので、包装部23で作成した包装硬貨Ａを一括収納部27に収納する。
【００６０】
ある金種の包装用収納部18から硬貨が全て繰り出されて空となれば、該当金種の出金用収納部17に収納されている全ての硬貨を計数しながら繰り出し、第１の搬送部39および分岐機構を通じて空の包装用収納部18に移動させる。１つの金種について出金用収納部17から包装用収納部18への硬貨の移動が完了すれば、包装用収納部18が空となる他の金種について１金種ずつ順に処理する。
【００６１】
なお、精査処理を行った場合には、出金用収納部17が空となるため、ばら状態の硬貨の出金に準備する場合には、ばら状態の硬貨を補給する。
【００６２】
そして、本実施の形態の硬貨処理装置12では、出金用収納部17と包装用収納部18とを別に備えているため、さらに、出金用搬送通路40と包装用搬送通路48とを別に備えているため、出金用収納部17からの硬貨の出金処理と、包装用収納部18からの包装用の硬貨の供給処理である収集処理とが重なっても並行して処理できる。
【００６３】
また、出金用収納部17と包装用収納部18とを別に備えることにより、出金用の硬貨収納量と包装用の硬貨収納量とを実際の取引量に応じて設定することができ、硬貨の収納効率を向上できる。
【００６４】
また、出金用収納部17と包装用収納部18とが別でも、出金用収納部17から包装用収納部18に硬貨を移動できるため、出金用収納部17の硬貨収納量が多くなった場合に硬貨を包装用収納部18へ移動させて硬貨収納量を適切に保ったり、包装用収納部18への硬貨の供給ができる。
【００６５】
次に、図５および図６に第２の実施の形態を示す。
【００６６】
出金用収納部17が入金位置、出金位置、収集位置および精査位置の各位置に上下方向に移動可能に構成されている。包装用収納部18は固定配置されている。
【００６７】
そして、図６(a)に示すように、入金処理時には、出金用収納部17が入金位置に移動し、投入される硬貨を入金処理部15および入金一時保留部16を通じて、出金用収納部17または包装用収納部18に収納する。出金用収納部17と包装用収納部18のいずれに硬貨を収納するかは、各収納量に応じて決定する。
【００６８】
図６(b)に示すように、出金処理時には、出金用収納部17が出金位置に移動し、出金用収納部17から硬貨を繰り出して出金箱19に出金する。
【００６９】
図６(c)に示すように、収集処理時（回収処理時）には、包装用収納部18から硬貨を繰り出し、繰り出した硬貨を通路72を通じて包装部23に送り込み、包装硬貨Ａを作成する。また、出金用収納部17から硬貨を繰り出し、繰り出した硬貨を通路72を通じて包装部23に送り込み、包装硬貨Ａを作成することもできる。
【００７０】
図６(d)に示すように、精査処理時には、まず、出金用収納部17が下方の精査位置に移動し、包装用収納部18内の硬貨を全て繰り出し、通路72を通じて出金用収納部17に収納する。続いて、出金用収納部17が上方の精査位置に移動し、出金用収納部17内の全ての硬貨を入金処理部15に繰り出し、繰り出された硬貨を入金処理部15で識別して入金一時保留部16を通じて包装用収納部18に収納する。
【００７１】
このような構成の硬貨処理装置12においても、出金用収納部17と包装用収納部18とを別に備えているため、図６(b)に示す状態で、出金用収納部17からの硬貨の出金処理を行いながら、包装用収納部18から包装部23への包装用の硬貨の供給処理である収集処理とを並行して処理できる。
【００７２】
なお、前記実施の形態において、出金用収納部17の繰出機構37および包装用収納部18の繰出機構37は、水平な回転円盤38，44を用いた構成に限らず、ベルトと逆転ローラを用いて硬貨を１枚ずつ繰り出す構成でもよい。
【符号の説明】
【００７３】
12    硬貨処理装置
17    出金用収納部
18    包装用収納部
40    出金用搬送通路
48    包装用搬送通路
【図１】
0005869813.tif 000002
【図２】
0005869813.tif 000003
【図３】
0005869813.tif 000004
【図４】
0005869813.tif 000005
【図５】
0005869813.tif 000006
【図６】
0005869813.tif 000007